(57)【要約】【課題】            テント装置の密閉性を向上して、テント装置でもエアコン装置を利用できるようにする。【解決手段】        テント装置Ａは屋根部材１と地面から連続する壁部材２とによって閉ざされた空間を構成している。テント装置Ａの壁部材２には横切り込み３ａと縦切り込み３ｂとによって開口部３を形成しており、この開口部３から第２の枠体Ｃを挿入してテント装置Ａ内に設置する。テント装置Ａの屋外側に配置される第１の枠体Ｂと屋内側に配置される第２の枠体Ｃとはベース４に設置され、このベース４は壁部材２の横切り込み３ａとほぼ同じ高さに位置している。このため、第１の枠体Ｂと第２の枠体Ｃとの間に壁部材２を位置させ、縦・横切り込み３ｂ・３ａによって開口部３を封鎖するときに、屋内外を連絡するベース４部分と横切り込み３ａとの間も封鎖することができるから、テント装置Ａは確実に密閉空間を作り出すことができる。【選択図】          図１
2005030740.tif 000002
【特許請求の範囲】
【請求項１】
屋根部材１と、地面から連続する壁部材２とによって閉ざされた空間を構成するテント装置Ａであって、
このテント装置Ａの壁部材２には、地面よりも高所に位置するほぼ水平の横切り込み３ａと、横切り込み３ａの両側部から連続する縦切り込み３ｂとによって封鎖可能な開口部３を形成すると共に、
横切り込み３ａとほぼ同じ高さでテント装置Ａの屋外と屋内とがつながるベース４を配置し、
屋外に位置させるベース４の上には、冷媒を加圧する圧縮機５と、加圧した高温高圧の冷媒を冷却して液化するための第１熱交換器６と、該第１熱交換器６内に空気を通過させる送風機７とを収納する第１の枠体Ｂを設置し、
屋内に位置させるベース４の上には、第１熱交換器６からキャピラリを介して送られる液化冷媒の気化熱を取り出すと共に気化した冷媒を圧縮機５に戻す第２熱交換器８と、該第２熱交換器８内に空気を通過させて冷風を作り出す対流送風機９とを収納する第２の枠体Ｃを設置し、
該第２の枠体Ｃは対流送風機９の吸入口９ａ及び吐出口９ｂのない側面を第１の枠体Ｂに向けて位置させ、
前記冷媒を第１の枠体Ｂと第２の枠体Ｃとの間で循環させる２本の冷媒配管１０・１０はベース４の高さ位置を経て接続されており、
前記開口部３の縦・横切り込み３ｂ・３ａを封鎖するときに、屋内外を連絡するベース４部分と横切り込み３ａとの間も封鎖して、開口部３から外気の侵入を防ぐことを特徴とするエアコンを取り付けたテント装置。
【請求項２】
前記テント装置Ａの開口部３の縦切り込み３ｂは端接続タイプのファスナーによって封鎖し、開口部３の横切り込み３ａとベース４部との間は横切り込み３ａに取り付けた面接続タイプのファスナーによって封鎖することを特徴とする請求項１記載のエアコンを取り付けたテント装置。
【請求項３】
前記テント装置Ａには底部材１１を備え、前記地面から連続する壁部材２は地面に配置した底部材１１と連続して、屋根部材１と共に閉ざされた空間を構成している請求項１または２に記載のエアコンを取り付けたテント装置。
【請求項４】
前記ベース４に設置された第１の枠体Ｂと第２の枠体Ｃの間にはベース４から仕切り部材１２を立設し、前記テント装置Ａの壁部材２は仕切り部材１２と第２の枠体Ｃとの間に位置させると共に、
第１の枠体Ｂは送風機７への吸込口７ａを仕切り部材１２と対向する側面に配置し、該送風機７は吸込口７ａと仕切り部材１２との間隔の空気を吸込むことを特徴とする請求項１乃至３の何れか１項に記載したエアコンを取り付けたテント装置。
【請求項５】
前記開口部３よりも高所の壁部材２には、第１の枠体Ｂの上方に向けて伸ばされる日よけ部材１３を取り付けた請求項１乃至４の何れか１項に記載したエアコンを取り付けたテント装置。
【請求項６】
テント装置Ａの屋外と屋内とを連続するベース４の屋外側と屋内側の端に脚部材１４を設け、該脚部材１４によって壁部材２の地面よりも高所に位置させた横切り込み３ａとほぼ同じ高さにベース４を設置すると共に、
脚部材１４よりも内側で第１の枠体Ｂと第２の枠体Ｃよりも外側に、両枠体Ｂ・Ｃよりも背が高い上部脚枠１５を設け、テント装置Ａの収納時に上部脚枠１５の上に他のベース４を載架し、上部脚枠１５の側部に脚部材１４を位置させて収納する請求項１乃至４の何れか１項に記載したエアコンを取り付けたテント装置。
【請求項７】
前記ベース４に設置した第１の枠体Ｂと第２の枠体Ｃよりも側方に位置して、両枠体Ｂ・Ｃよりも背が高い上部脚柱１５ａを設け、該上部脚柱１５ａは第１の枠体Ｂよりも外方に位置した一対の柱と、第２の枠体Ｃよりも屋内側に位置した一対の柱で構成し、この上部脚柱１５ａの上端にはそれぞれの対となる上部脚柱１５ａ同士をつなげる連結バー１５ｂを設け、該連結バー１５ｂと上部脚柱１５ａとによって上部脚枠１５を構成すると共に、
前記上部脚柱１５ａと連結バー１５ｂとはコーナ部のない曲部形状１５ｃで連続させたことを特徴とする、請求項１乃至４の何れか１項に記載したエアコンを取り付けたテント装置。
【発明の詳細な説明】
【技術分野】
【０００１】
この発明は仮設の住空間を作りだすテント内部が空気調和できるようにするエアコン装置を取り付けたテント装置に関するものである。
【背景技術】
【０００２】
従来では仮設の店舗や仮設の住空間を作りだすテントなどの内部空間が、空気調和できるエアコン装置は、通称スポットエアコンと呼ばれる空気調和した冷風などを特定の場所に吹出す装置以外は知られておらず、出願人は先の提案でこのような仮設の設備に適するエアコン装置を特許文献１に示すように提案し、仮設の店舗などでは一応の成果を得ることができた。
【０００３】
【特許文献１】特開２００３−１３９３８３号公報
【発明の開示】
【発明が解決しようとする課題】
【０００４】
仮設の店舗などでは密閉性能があまり要求されることがないために特許文献１に記載するエアコン装置でも実用性を発揮できるが、同時に提案したテント装置にこの特許文献１の装置を利用するときには、テント装置の多くは閉ざされた空間を作り出して空間内を空気調和する必要性があり、第１の枠体と第２の枠体を一体化するベース部分において、テントの壁部材（テント装置の隔壁）の下端がベース部材の上面に届くことができても、ベースと地面との間には土盛するなどの特殊な工法を実施しない限り空気の流通空間が形成され、閉ざされた空間を作り出すテント装置においては更なる改善が必要であることがわかった。
【課題を解決するための手段】
【０００５】
この発明は上記課題を解決するもので、屋根部材１と、地面から連続する壁部材２とによって閉ざされた空間を構成するテント装置Ａであって、このテント装置Ａの壁部材２には、地面よりも高所に位置するほぼ水平の横切り込み３ａと、横切り込み３ａの両側部から連続する縦切り込み３ｂとによって、封鎖可能な開口部３を形成している。一方、横切り込み３ａとほぼ同じ高さでテント装置Ａの屋外と屋内とがつながるベース４を配置し、屋外に位置させるベース４の上には、冷媒を加圧する圧縮機５と、加圧した高温高圧の冷媒を冷却して液化するための第１熱交換器６と、該第１熱交換器６内に空気を通過させる送風機７とを収納する第１の枠体Ｂを設置し、屋内に位置させるベース４の上には、第１熱交換器６からキャピラリを介して送られる液化冷媒の気化熱を取り出すと共に気化した冷媒を圧縮機５に戻す第２熱交換器８と、該第２熱交換器８内に空気を通過させて冷風を作り出す対流送風機９とを収納する第２の枠体Ｃを設置し、該第２の枠体Ｃは対流送風機９の吸入口９ａ及び吐出口９ｂのない側面を第１の枠体Ｂに向けて位置させ、前記冷媒を第１の枠体Ｂと第２の枠体Ｃとの間で循環させる２本の冷媒配管１０・１０はベース４の高さ位置を経て接続して冷凍回路が構成される。このため、テント装置Ａを立ち上げた後に開口部３を開き、ベース４に設置した第２の枠体Ｃを開口部３から挿入してテント装置Ａ内に配置し、その後、第１の枠体Ｂと第２の枠体Ｃとの間に壁部材２を位置させ、前記開口部３の縦・横切り込み３ｂ・３ａを封鎖するときに、屋内外を連絡するベース４部分と横切り込み３ａとの間も封鎖して、開口部３から外気の侵入を防ぐようになっている。
【０００６】
また、テント装置Ａの開口部３の縦切り込み３ｂは端接続タイプのファスナーによって封鎖し、開口部３の横切り込み３ａとベース４部との間は横切り込み３ａに取り付けた面接続タイプのファスナーによって封鎖したから、テント装置Ａの開口部３はファスナーの接続操作で確実に封鎖することができ、テント装置Ａ内の閉ざされた空間の空気調和が実現できるようになった。
【０００７】
また、テント装置Ａには底部材１１を備え、前記地面から連続する壁部材２は地面に配置した底部材１１と連続して、屋根部材１と共に閉ざされた空間を構成したから、壁部材２の下端と地面との密閉が確実にできるようになった。
【０００８】
また、ベース４に設置された第１の枠体Ｂと第２の枠体Ｃの間にはベース４から仕切り部材１２を立設し、前記テント装置Ａの壁部材２は仕切り部材１２と第２の枠体Ｃとの間に位置させると共に、第１の枠体Ｂは送風機７への吸込口７ａを仕切り部材１２と対向する側面に配置し、該送風機７は吸込口７ａと仕切り部材１２との間隔の空気を吸込むから、テント装置Ａの壁部材２が仕切り部材１２に邪魔されて第１の枠体Ｂの吸込口７ａに吸着することはなくなった。
【０００９】
また、開口部３よりも高所の壁部材２には、第１の枠体Ｂの上方に向けて伸ばされる日よけ部材１３を取り付けたから、第１の枠体Ｂに降り注ぐ雨や太陽光の直射を防ぐことができた。
【００１０】
また、テント装置Ａの屋外と屋内とを連続するベース４の屋外側と屋内側の端に脚部材１４を設け、該脚部材１４によって壁部材２の地面よりも高所に位置させた横切り込み３ａとほぼ同じ高さにベース４を設置すると共に、脚部材１４よりも内側で第１の枠体Ｂと第２の枠体Ｃよりも外側に、両枠体Ｂ・Ｃよりも背が高い上部脚枠１５を設け、テント装置Ａの収納時に上部脚枠１５の上に他のベース４を載架し、上部脚枠１５の側部に脚部材１４を位置させて収納することができたから、仮設のテント装置Ａを撤収した後で、第１の枠体Ｂと第２の枠体Ｃを設置したベース４は、狭いスペースでも簡単に積み重ねることができるようになった。
【００１１】
更に、前記ベース４に設置した第１の枠体Ｂと第２の枠体Ｃよりも側方に位置して、両枠体Ｂ・Ｃよりも背が高い上部脚柱１５ａを設け、該上部脚柱１５ａは第１の枠体Ｂよりも外方に位置した一対の柱と、第２の枠体Ｃよりも屋内側に位置した一対の柱で構成し、この上部脚柱１５ａの上端にはそれぞれの対となる上部脚柱１５ａ同士をつなげる連結バー１５ｂを設け、該連結バー１５ｂと上部脚柱１５ａとによって上部脚枠１５を構成すると共に、上部脚柱１５ａと連結バー１５ｂとはコーナ部のない曲部形状１５ｃで連続させたから、テント装置Ａの壁部材２の縦・横切り込み３ｂ・３ａを開いて開口部３を作り、第２の枠体Ｃを屋内に挿入するときに、上部脚枠１５があっても開口部３の壁部材２が曲部形状１５ｃによって引っかかることはなくなった。
【発明の効果】
【００１２】
この発明のテント装置Ａは壁部材２がテント装置Ａの所定の方法で地面から連続して、閉ざされた空間を作り出している。そして、この壁部材２に横切り込み３ａと縦切り込み３ｂによって開口部３を形成したから、この開口部３を使って屋内側の第２の枠体Ｃをテント装置Ａ内に設置することができる。また、この開口部３は封鎖可能になっており、屋外側の第１の枠体Ｂと屋内側の第２の枠体Ｃとを一体に構成するベース４が横切り込み３ａ部分に位置しているから、縦切り込み３ｂと横切り込み３ａによって開口部３を封鎖するときに、横切り込み３ａはベース４を介在させた状態で封鎖される。このため、テント装置Ａは壁部材２と地面との間は所定の方法で封鎖でき、屋外側の第１の枠体Ｂと屋内側の第２の枠体Ｃとを一体に構成するベース４は開口部３の横切り込み３ａによって封鎖できたから、エアコンを設置するテント装置Ａであっても、確実に密閉空間を作り出すことができた。
【００１３】
また、テント装置Ａの開口部３の封鎖構造に関して、縦切り込み３ｂは端接続タイプのファスナーによって封鎖し、横切り込み３ａは面接続タイプのファスナーによって封鎖する構造としたから、面接続タイプであれば間にベース４を介在しても、ベース４に接近した位置とベース４から離れた位置との間で接続する面が自由に選択できるから、開口部３は確実にベース４を介在した状態で封鎖できるようになった。
【００１４】
また、テント装置Ａの壁部材２の地面から連続させる構造に関して、テント装置Ａには底部材１１を備え、前記壁部材２は地面に配置した底部材１１と連続させる構造としたから、テント装置Ａは壁部材２の下端と地面との密閉が確実にできるようになり、空気調和される密閉空間が簡単に構成できるようになった。
【００１５】
また、テント装置Ａ内を空気調和している間は第１の枠体Ｂの送風機７から強風が吹出されるが、第１の枠体Ｂは送風機７への吸込口７ａを仕切り部材１２と対向する側面に配置したから、この強風はテント装置Ａから離れた方向に吹出すことができるようになり、テント装置Ａに対する廃熱の影響を少なくすることができた。また、第１の枠体Ｂと第２の枠体Ｃの間にベース４から仕切り部材１２を立設し、テント装置Ａの壁部材２が仕切り部材１２と第２の枠体Ｃとの間に位置したから、送風機７の吸込口７ａから大量の空気が吸い込まれても、この風によって壁部材２が第１の枠体Ｂの吸込口７ａに吸着せず、第１熱交換器６の性能を落とすようなことはなくなった。
【００１６】
また、テント装置Ａの壁部材２には、開口部３の縦切り込み３ｂよりも高所から第１の枠体Ｂの上方に向けて日よけ部材１３を取り付けたから、第１の枠体Ｂは雨が降りかからなくなって耐久性が増すと共に、夏の強い日光を遮蔽することができ、第１の枠体Ｂ内の異常高温によるトラブルの発生を事前に防ぐことができるようになった。
【００１７】
また、テント装置Ａの屋外側の第１の枠体Ｂと屋内側の第２の枠体Ｃとを一体化するベース４には、それぞれ屋外側と屋内側の端に脚部材１４を設けたから、地面よりも高所に位置させた横切り込み３ａの位置にベース４が確実に配置できるようになり、また、第１の枠体Ｂと第２の枠体Ｃの重力は脚部材１４によって支えられるから、壁部材２の横切り込み３ａはベース４の重量を考慮せずに、封鎖性能を中心に最適な構成を選択することができた。また、脚部材１４よりも内側で第１の枠体Ｂと第２の枠体Ｃよりも外側に、両枠体Ｂ・Ｃよりも背が高い上部脚枠１５を設けたから、テント装置Ａの収納時には脚部材１４があっても上部脚枠１５の上に他のベース４が載架できるようになり、実質的に上部脚枠１５の高さでコンパクトに積み重ねることができるようになった。
【００１８】
更に、前記上部脚枠１５は上部脚柱１５ａと連結バー１５ｂによって構成し、上部脚柱１５ａと連結バー１５ｂとはコーナ部のない曲部形状１５ｃで連続させたから、テント装置Ａの壁部材２の縦・横切り込み３ｂ・３ａを開いて開口部３を作り、第２の枠体Ｃを屋内に挿入するときに、上部脚枠１５があっても開口部３の壁部材２が曲部形状１５ｃによって引っかかることはなく、スムーズに開口部３からエアコン装置をテント装置Ａ内に設置できるようになった。
【実施例】
【００１９】
実施例を示す図によってこの構成を説明すると、Ａは閉ざされた空間を構成するテント装置、１はテント装置Ａの屋根部材、２はテント装置Ａの横壁を構成する壁部材であり、該壁部材２は地面にのぞませた端に余裕を持たせて地面に敷くグランドシートの下に潜り込ませる方法や、この端を地面に埋め込む方法などで、壁部材２の下端が地面から連続するように取り付けられており、テント装置Ａは壁部材２の下端部から外気が侵入しないように地面に密着して組立てられ、閉ざされた空間を構成している。
【００２０】
図に示す実施例のテント装置Ａにおいて、１１はテント装置Ａの床面を構成する底部材であり、前記壁部材２の下端がこの底部材１１と一体となって連続する状態に構成すれば、確実に壁部材２の下端が地面と連続するようになり、テント装置Ａは簡単に閉ざされた空間を作り出すことができる。
【００２１】
このテント装置Ａに適するエアコン装置において、Ｂはテント装置Ａの屋外側に配置される第１の枠体、Ｃはテント装置Ａの屋内側に配置される第２の枠体、４はこの第１の枠体Ｂと第２の枠体Ｃを一緒に設置するベースであり、エアコン装置はこのベース４によって一体に構成されている。
【００２２】
５は冷媒を加圧する圧縮機、６は圧縮機５で加圧された高温高圧の冷媒が送られる第１熱交換器、１６は第１熱交換器６が配置された冷却送風路、７は冷却送風路１６内の第１熱交換器６に空気を通過させて冷却する送風機であり、前記圧縮機５と第１熱交換器６と送風機７と冷却送風路１６とは前記第１の枠体Ｂ内に収納している。７ａは第１の枠体Ｂ内の送風機７への吸入側の冷却送風路１６の入口に設けた吸込口、７ｂは第１の枠体Ｂの前面に位置して冷却送風路１６の出口に設けた吐出口であり、吸込口７ａから入った空気は第１熱交換器６を冷却して高温高圧の冷媒を液化し、第１熱交換器６によって高温となった空気は第１の枠体Ｂの前面の吐出口７ｂから熱風となって吹出している。
【００２３】
８は前記第１熱交換器６からキャピラリを介して液化冷媒が送られる第２熱交換器、１７は第２熱交換器８が配置された冷風送風路、９は冷風送風路１７内の第２熱交換器８に空気を通過させる対流送風機であり、前記第２熱交換器８と対流送風機９と冷風送風路１７は前記第２の枠体Ｃ内に収納している。９ａは第２の枠体Ｃ内の対流送風機９への吸入側の冷風送風路１７の入口に設けた吸入口、９ｂは第２の枠体Ｃ内に設けた冷風送風路１７の出口に設けた吐出口であり、第２熱交換器８に送られた液化冷媒は第２熱交換器８内で気化し、吸入口９ａから入った空気は第２熱交換器８で冷媒の気化熱を奪って冷風となり、第２の枠体Ｃの吐出口９ｂから吹出している。
【００２４】
１０は第１の枠体Ｂと第２の枠体Ｃとの間で圧縮機５・第１熱交換器６・第２熱交換器８・圧縮機５を連結して冷媒を循環させる２本の冷媒配管であり、この２本の冷媒配管１０はベース４に沿って一緒に配設されており、ベース４と同じ高さ位置となるように設置されている。
【００２５】
従来のテント装置Ａは壁部材２の下端に余裕を持たせて地面にのぞませてあるから、この下端を持ち上げることでエアコン装置を一体化しているベース４を地面と壁部材２との間に挿入でき、屋外側に第１の枠体Ｂを位置させた状態で屋内側に第２の枠体Ｃを配置することができる。しかし、壁部材２と地面の間に一定の大きさのベース４が介在しているから、このベース４部分の密閉が極めて困難となり、風が吹き付けると屋外の空気がテント装置Ａ内に侵入するから、冷房や暖房の効率は極めて悪くなってしまうものである。
【００２６】
この発明はテント装置Ａの密閉性を向上して、テント装置Ａにエアコン装置が付設できるようにするもので、３ａは壁部材２の地面よりも高所の位置にベース４が挿入できる大きさの横切り込み、３ｂは横切り込み３ａの両側部から連続して縦方向に設けた第２の枠体Ｃが挿入できる高さの縦切り込み、３はこの横切り込み３ａと縦切り込み３ｂによって形成できる開口部であり、この横切り込み３ａと縦切り込み３ｂの端を封鎖することで、開口部３を閉ざし、外気の侵入を防ぐことができる。
【００２７】
前記第１の枠体Ｂと第２の枠体Ｃを一体化するベース４は屋内側と屋外側に置いたブロックの上に載せるなどして壁部材２の横切り込み３ａの高さに位置できるようになっている。即ち、テント装置Ａは壁部材２の下端と地面とが密閉した状態に組み立て完了した後で、図２（ａ）に示すように、前記縦・横切り込み３ｂ・３ａの封鎖を解いて開口部３を作り、この開口部３を使って第２の枠体Ｃを屋内側に設置する。その後、縦・横切り込み３ｂ・３ａを所定の位置に戻して、図２（ｂ）に示すように開口部３を封鎖することによって、テント装置Ａにエアコン装置を設置することができた。
【００２８】
また、第２の枠体Ｃは吸入口９ａや吐出口９ｂのない背面をテント装置Ａの壁部材２、即ち、第１の枠体Ｂの方向に向けて取り付けられており、第２の枠体Ｃの正面に設けた対流送風機９の吐出口９ｂをテント装置Ａ内に向け、また吸入口９ａを第２の枠体Ｃの正面や上面や側面に配置している。このように設置したエアコン装置は第１の枠体Ｂがテント装置Ａの外側に位置し、第２の枠体Ｃがテント装置Ａの内側に位置しており、エアコン装置を冷房運転する時には、テント装置Ａの内側では、内側空間の空気が第２の枠体Ｃ内を通過して冷風となって内側空間を満たし、この内側空間は閉ざされた空間を作り出しているから、テント装置Ａでもエアコン装置が利用できるようになった。
【００２９】
前記開口部３を形成する横切り込み３ａと縦切り込み３ｂは、間にベース４を介在させながら、ほとんど完全な封鎖状態になることが期待される。この発明では縦切り込み３ｂは通称ジッパーと呼ばれる端接続タイプのファスナーで構成し、閉止金具によって縦切り込み３ｂの上部から下方の横切り込み３ａに向けて封鎖できるようになっている。また、横切り込み３ａは通称マジックテープと呼ばれる面接続タイプのファスナーで構成している。このように面接続タイプであれば、横切り込み３ａの端の部分で密着する位置が変化しても確実に密着接続できるから、間にベース４が介在しても横切り込み３ａ部分は確実に密封でき、テント装置Ａ内部は確実に閉ざされた空間にすることができるようになった。
【００３０】
また、横切り込み３ａの端が接触するベース４にも、面接続タイプのファスナーを取り付ければ、横切り込み３ａの端が直接ベース４に固定できるようになるから、更に密封性能が向上すると共に、テント装置Ａの壁部材２が風にあおられても、横切り込み３ａ部分がベース４上を動いて隙間が拡がってしまうようなことはなくなった。
【００３１】
また、テント装置Ａにおいて、テント装置Ａの底部材１１はグランドシートの機能だけではなく、その端はテント装置Ａの壁部材２に接続されている。このため、従来の壁部材２のように、設置場所の状況に応じて各種の手段で壁部材２の下端を地面と連続させる工夫をする必要がなくなり、壁部材２は底部材１１と連続することで地面から連続できるから、不整地の地面であっても確実に地面と壁部材２との間の密封性能が得られるようになった。
【００３２】
一方、ベース４に設置された第１の枠体Ｂにおいて、エアコン装置を運転すると、送風機７によって吸込口７ａから吸い込んだ空気が第１熱交換器６を通過し、熱風となって空気が吐出口７ｂから吹出している。１２はベース４に設置された二つの枠体Ｂ・Ｃの間のベース４本体から立設した仕切り部材であり、前記テント装置Ａの壁部材２は仕切り部材１２と第２の枠体Ｃとの間に配置している。
【００３３】
また、前記第１の枠体Ｂの吸込口７ａは仕切り部材１２のある第２の枠体Ｃの方向に向けて配置したから、第１の枠体Ｂの吐出口７ｂは吸込口７ａの反対側に位置するようになり、第１の枠体Ｂから吹出す熱風はテント装置Ａから離れて行く方向に吹出すようになり、テント装置Ａの壁部材２に熱風が吹き付けてテント装置Ａの内部へ熱が還流するようなことはなくなった。
【００３４】
この時、テント装置Ａの壁部材２の付近から第１の枠体Ｂの吸込口７ａに空気が吸い込まれるが、ベース４から立ち上げた仕切り部材１２の働きで、テント装置Ａの壁部材２が吸込口７ａ方向に吸い寄せられるようなことがあっても、壁部材２は仕切り部材１２に邪魔されて、第１の枠体Ｂの吸込口７ａに近づくことはなく、空気流の障害になることもない。
【００３５】
図３に示す実施例において、１３は開口部３よりも高所の壁部材２から第１の枠体Ｂの上方に向けて伸ばされた日よけ部材であり、テント装置Ａの壁部材２の付近に設置される第１の枠体Ｂは、その上方に日よけ部材１３が位置しているから、雨天の時には雨を防ぎ、湿気や水によるトラブルを防止すると共に、晴天の時には日光を遮蔽して第１の枠体Ｂ内の異常高温によるトラブルの発生を事前に防ぐことができるようになった。
【００３６】
また、図３に示す実施例において、１４は第１の枠体Ｂと第２の枠体Ｃとを一体にするベース４の端に取り付けた脚部材であり、この脚部材１４の高さはテント装置Ａの横切り込み３ａの位置にベース４がくるような高さに設定する。従ってエアコン装置をテント装置Ａに設置するに当たり、平坦な場所であれば脚部材１４によって正しくベース４が壁部材２の横切り込み３ａの位置に設置することができるようになった。
【００３７】
ところで、テント装置Ａは恒久的な建物ではなく、設置と折り畳みが頻繁に行なわれるものであり、また、長期間にわたって保管されることも多い。また、使用するエアコン装置も多くは冷房希望であって、夏以外は保管されることが多くなる。図３において、１５は第１の枠体Ｂと第２の枠体Ｃとを設置したベース４から立設した上部脚枠であり、該上部脚枠１５の上部は第１の枠体Ｂと第２の枠体Ｃと仕切り部材１２のいずれかの最上部と同じもしくはそれよりも高く位置させている。
【００３８】
そして、この上部脚枠１５はベース４の端に取り付けた脚部材１４の位置よりもやや内側に取り付けたから、図４に示すように、他のエアコン装置を持ち上げてそのベース４を上部脚枠１５の上に積み重ねることができ、この時、脚部材１４は上部脚枠１５の外側に位置しているから脚部材１４の高さだけ積み重ねたときにエアコン装置の高さが低くなり、狭いスペースでテント装置Ａと一緒にエアコン装置が保管できるようになった。
【００３９】
また、前記上部脚枠１５の具体的な構成において、１５ａは第１の枠体Ｂと第２の枠体Ｃよりも側方に位置して、両枠体Ｂ・Ｃよりも背が高くなるようにベース４に設置した上部脚柱、１５ｂは前記上部脚柱１５ａを構成する第１の枠体Ｂよりも外方に位置した一対の柱と、第２の枠体Ｃよりも屋内側に位置した一対の柱の上端同士をつなげる連結バー、１５ｃは上部脚柱１５ａと連結バー１５ｂとの連結部を構成する鋭角部を形成させない曲部形状であり、このような上部脚枠１５とすることによって、テント装置Ａの壁部材２に開口部３を作ってベース４に設置した第２の枠体Ｃを屋内に挿入するときに、開口部３の壁部材２が引っかかる鋭角部が上部脚枠１５にはなく、曲部形状１５ｃによって布地の壁部材２は滑ってしまうから、エアコン装置の第１の枠体Ｂを外部に、第２の枠体Ｃをテント装置Ａ内に簡単に設置できるようになる。
【００４０】
図３の実施例において、１８は第２の枠体Ｃをベース４に設置するための支柱であり、冷風を下向きに吹出すことができる第２の枠体Ｃは支柱１８を介してベース４に設置することにより、任意の高さに吐出口９ｂを位置させることができ、テント装置Ａの中を効果的に冷房することができる。
【００４１】
図３において、１９は逆Ｕ字形の仕切り部材１２の二本の柱に取り付けられて壁部材２を第２の枠体Ｃの方に押し付ける板ばね、１９ａは板ばね１９に取り付けられた押付バーであり、第１の枠体Ｂの吸込口７ａとほぼ同じ高さに横設する押付バー１９ａは板ばね１９の力で壁部材２を支柱１８に向けて押しているから、壁部材２は吸込口７ａから常に離れており、第１の枠体Ｂと第２の枠体Ｃの間隔を狭くして、ベース４の形状を小さくしてもエアコン装置はトラブルなく運転できるようになった。
【図面の簡単な説明】
【００４２】
【図１】この発明の実施例を示すエアコン設備を備えたテント装置の要部断面図である。
【図２】エアコン装置を設置するためのテント装置の開口部を示す壁部材の要部正面図である。
【図３】この発明の他の実施例を示すエアコン設備を備えたテント装置の要部断面図である。
【図４】この発明のテント装置に使用するエアコン装置の収納時の側面図である。
【図５】この発明のテント装置に使用するエアコン装置の部品の斜視図である。
【符号の説明】
【００４３】
Ａ    テント装置
Ｂ    第１の枠体
Ｃ    第２の枠体
１    屋根部材
２    壁部材
３    開口部
３ａ  横切り込み
３ｂ  縦切り込み
４    ベース
５    圧縮機
６    第１熱交換器
７    送風機
７ａ  吸込口
８    第２熱交換器
９    対流送風機
９ａ  吸入口
９ｂ  吐出口
１０    冷媒配管
１１    底部材
１２    仕切り部材
１３    日よけ部材
１４    脚部材
１５    上部脚枠
１５ａ  上部脚柱
１５ｂ  連結バー
１５ｃ  曲部形状
【図１】
2005030740.tif 000003
【図２】
2005030740.tif 000004
【図３】
2005030740.tif 000005
【図４】
2005030740.tif 000006
【図５】
2005030740.tif 000007